(57)【要約】【課題】光学ミラーにゴミ等の塵埃が付着した場合に、この塵埃の移動の有無にかかわらず出力画像の質の劣化を抑える画像読取装置を提供する。【解決手段】スキャナ装置３は、読取手段、記録手段、および画像処理手段を備える。読取手段は、原稿の画像情報を光学的に読み取る。記録手段は、読取手段によって読み取られたシェーディング補正用の基準白板の画像情報に係る画像データを記録する。画像処理手段は、記録手段に記録された基準白板に係る画像データに基づいて、読み取られた原稿の画像情報に係る画像データに対してシェーディング補正を行う。スキャナ装置３は、適宜、像点変位手段を用いて、基準白板からの反射光の結像点をＣＣＤ３４から外す。【選択図】  図１６
2006304111.tif 000002
【特許請求の範囲】
【請求項１】
原稿とシェーディング補正用の基準白板とを含む読取対象物の画像情報を光学的に読み取る読取手段と、
前記読取手段によって読み取られた前記読取対象物の画像情報に係る画像データを記録する記録手段と、
前記記録手段に記録された前記基準白板に係る画像データに基づいて、読み取られた原稿の画像情報に係る画像データに対してシェーディング補正を行う画像処理手段と、を備えた画像読取装置であって、
前記読取手段は、前記読取対象物に光を照射する光源部と、前記読取対象物の画像情報に係る光を電気的信号に変換する光電変換部と、前記読取対象物からの反射光を前記光電変換素子に導く光反射部と、前記光反射部によって反射された前記反射光を前記光電変換部に結像させる結像レンズを備えており、
前記読取手段が前記基準白板を読み取る際に、前記基準白板からの反射光の結像点の位置を前記光電変換部から外す結像点変位手段をさらに備えたことを特徴とする画像読取装置。
【請求項２】
前記結像点変位手段は、前記読取手段が前記基準白板に係る画像情報を読み取る際に前記基準白板と前記光電変換部との間に形成される光路上に、ガラス部材を露出させることを特徴とする請求項１に記載の画像読取装置。
【請求項３】
前記結像点変位手段は、前記読取手段が前記基準白板に係る画像情報を読み取る際に、前記結像レンズを移動させることを特徴とする請求項１に記載の画像読取装置。
【発明の詳細な説明】
【技術分野】
【０００１】
この発明は、原稿の画像情報を読み取る画像読取装置に関し、特に、シェーディング補正用の基準白板の画像情報に基づいてシェーディング補正を行う画像読取装置に関する。
【０００２】
原稿の画像情報を光学的に読み取る読取手段の１つとして、縮小光学系の読取装置が挙げられる。縮小光学系の読取装置では、通常、原稿に対して光を照射し、原稿からの反射光を光学ミラーおよび結像レンズを介して光電変換素子（ＣＣＤ）に結像させる。この結果、原稿の画像情報に係る画像データがＣＣＤから出力される。
【０００３】
このとき、光学系の特性により、主走査方向における原稿からの反射光量が同じでも、主走査方向におけるＣＣＤの出力値がばらつく。このため、縮小光学系の読取装置では、シェーディング補正を行なうことによって、出力画像にムラが発生することを抑えている。
【０００４】
ところが、装置の使用期間が長くなると光学ミラーにゴミ等の塵埃が付着することがある。光学ミラーに塵埃が付着すると、主走査方向における塵埃に対応する位置の光量が低くなる結果、主走査方向に直交する副走査方向に沿って出力画像に黒スジが発生するといった不具合が生じる。
【０００５】
そこで、従来技術の中には、光学ミラーに付着した塵埃を考慮したシェーディング補正を行なう装置がある。その中には、ＣＣＤの読取データを２値化する２値化手段と、２値化手段のしきい値レベルを可変とするしきい値切換手段とを備える画像読取装置も存在する（例えば、特許文献１参照。）。特許文献１に係る画像読取装置では、光学ミラーにゴミが付いた場合には、しきい値切換手段が２値化のしきい値レベルを変化させてゴミが画像に悪影響を与えないようにしている。
【特許文献１】特開平９−２４７４４５
【発明の開示】
【発明が解決しようとする課題】
【０００６】
しかしながら、上述の従来技術は、光学ミラーに付着した塵埃が同じ位置に静止することを前提にしている。このため、読取装置内の各部が移動する際に光学ミラーに付着したゴミが移動した場合には、適正なシェーディング補正を行なうことができない。例えば、光学ミラーに付着したゴミが移動した場合には、ゴミが移動する前の状態において設定した補正値を用いてシェーディング補正をすると、かえって出力画像が劣化するという不都合が発生することもある。
【０００７】
この発明の目的は、光学ミラーにゴミ等の塵埃が付着した場合に、この塵埃の移動の有無にかかわらず出力画像の質の劣化を抑える画像読取装置を提供することである。
【課題を解決するための手段】
【０００８】
（１）  本発明に係る画像読取装置は、読取手段、記録手段、画像処理手段、および結像点変位手段を備える。
【０００９】
読取手段は、原稿とシェーディング補正用の基準白板とを含む読取対象物の画像情報を光学的に読み取る。読取手段は、読取対象物に光を照射する光源部と、読取対象物の画像情報に係る光を電気的信号に変換する光電変換部と、読取対象物からの反射光を光電変換素子に導く光反射部と、光反射部によって反射された反射光を光電変換部に結像させる結像レンズを備える。
【００１０】
記録手段は、読取手段によって読み取られた読取対象物の画像情報に係る画像データを記録する。
【００１１】
画像処理手段は、記録手段に記録された基準白板に係る画像データに基づいて、読み取られた原稿の画像情報に係る画像データに対してシェーディング補正を行う。
【００１２】
そして、結像点変位手段は、読取手段が基準白板を読み取る際に、基準白板からの反射光の結像点の位置を光電変換部から外す。結像点変位手段の構成の例として、光路上選択的にガラス部材を挿入する機構、結像レンズの位置を変える機構、または光電変換部の位置を変化させる機構が挙げられる。基準白板からの反射光の結像点の位置を光電変換部から外す理由は、シェーディング補正値を設定する際に光反射部に付着したゴミ等の塵埃の影響を軽減するためである。
【００１３】
光反射部に付着した塵埃の影響が光電変換部からの出力値に強く出ていると、この影響を打ち消すようにシェーディング補正値の設定がされる。この場合、原稿の読み取りの際に光反射部における塵埃の位置が変化すると、塵埃の変位前に設定した補正値によってシェーディング補正をしたときに、かえってホワイトバランスが乱れる虞がある。
【００１４】
基準白板からの反射光の結像点を光電変換部からわずかに外しておくことで、シェーディング補正値に塵埃の影響が表れにくくなる。このため、光反射部における塵埃が変位するか否かにかかわらず適正にシェーディング補正をすることが可能なシェーディング補正値を得ることができる。
【００１５】
（２）  （１）に記載の画像読取装置であって、
結像点変位手段は、読取手段が基準白板に係る画像情報を読み取る際に基準白板と光電変換部との間に形成される光路上に、ガラス部材を露出させることを特徴とする。
【００１６】
この構成においては、結像点変位手段によって基準白板からの反射光の結像点の位置を変化させるためのガラス部材が光路上に配置される。光路上にガラス部材を挿入することにより、基準白板からの反射光の結像点が光電変換部から外れる。この結果、簡易な構成によって、所望のシェーディング補正値が得られる。
【００１７】
（３）  （１）に記載の画像読取装置であって、
結像点変位手段は、読取手段が基準白板に係る画像情報を読み取る際に、結像レンズを移動させることを特徴とする。
【００１８】
この構成においては、結像点変位手段は、基準白板からの反射光の結像点の位置を変化させるために、光路上に配置される結像レンズの位置を変化させる。結像レンズの位置が変化することにより、基準白板からの反射光が光電変換部上で結像しなくなる。この結果、簡易な構成によって、所望のシェーディング補正値が得られる。
【００１９】
なお、基準白板の画像情報に係る画像データの値の代表例として、基準白板の読取時における光電変換素子（ＣＣＤ）の主走査方向の各画素の出力値が挙げられる。ＣＣＤの主走査方向における各画素の出力値のばらつきは、画像処理手段によるシェーディング補正によって補正される。
【００２０】
光反射部にゴミが付着することによって基準白板に係る画像データの値に局部的な落ち込みが発生する場合がある。この場合でも、結像点変位手段の作用により、基準白板に係る画像データの値の局部的な落ち込みが平滑化する。シェーディング補正値を設定する前に、基準白板に係る画像データの値の局部的な落ち込みを平滑化しておけば、原稿読取中に塵埃が移動した場合およびしなかった場合のいずれの場合でもある程度通用するシェーディング補正値を得ることが可能になる。
【発明の効果】
【００２１】
（１）反射手段にゴミ等の塵埃が付着した場合に、この塵埃の移動の有無にかかわらず出力画像の質の劣化を抑えることができる。
【００２２】
（２）ガラス部材を光路上に挿入することにより基準白板の結像点が光電変換部から外れるため、光反射部に付着した塵埃がシェーディング補正値に影響を与えにくくすることができる。
【００２３】
（３）結像レンズを移動させることにより基準白板の結像点が光電変換部から外れるため、光反射部に付着した塵埃がシェーディング補正値に影響を与えにくくすることができる。
【発明を実施するための最良の形態】
【００２４】
図１に示すように、画像形成装置１は、プリンタ２、スキャナ装置３、自動原稿搬送装置４、シート後処理装置５、多段給紙ユニット６、システムラック７、および中継搬送ユニット８を備える。
【００２５】
プリンタ２は、スキャナ装置３が読み取った原稿の画像情報に係る画像データ、またはパーソナルコンピュータ等の外部機器から入力された画像データに基づき画像形成処理を行う。
【００２６】
プリンタ２の中央右側部には電子写真プロセス部２０が配置される。電子写真プロセス部２０は、図２に示すように、ドラム状の感光体２００を備える。この感光体２００の周囲に、帯電ローラ２０１、光走査ユニット２２、現像ユニット２０２、転写ユニット２０３、クリーニングユニット２０４、および図示しない除電ランプユニットが配置される。帯電ローラ２０１は、感光体２００表面を均一に帯電させる。光走査ユニット２２は、均一に帯電された感光体２００上を走査して静電潜像を書き込む。現像ユニット２０２は、光走査ユニット２２により書き込まれた静電潜像を現像剤により顕像化する。転写ユニット２０３は、感光体２００上に形成された現像剤像を用紙上に転写する。クリーニングユニット２０４は、感光体２００上に残留した現像剤を除去して感光体２００上に新たな画像を記録することを可能にする。除電ランプユニットは、感光体２００表面の電荷を除去する。
【００２７】
電子写真プロセス部２０の上方には、定着装置２３が配置される。定着装置２３は、用紙を加圧および加熱することによって、用紙に転写された未定着の現像剤像を用紙面に定着させる。用紙搬送方向における定着装置２３の下流側には、図１に示すように、排出ローラ２８および中継搬送ユニット８が配置される。
【００２８】
電子写真プロセス部２０の下方には、図１に示すように、プリンタ２本体内に内装された用紙供給部２１が配置される。用紙供給部２１は、用紙収容トレイ２１０および分離供給手段２１１を備える。用紙収容トレイ２１０は、プリンタ２の電子写真プロセス部２０に供給すべき用紙を収容する。分離供給手段２１１は、用紙収容トレイ２１０に収容された用紙を１枚ずつ分離して電子写真プロセス部２０へと送り出す。
【００２９】
プリンタ２本体の下面には用紙受口２７が設けられ、その用紙受口２７の下方に多段給紙ユニット６が配置される。プリンタ２内の用紙搬送路は用紙受口２７を介して多段給紙ユニット６内の用紙搬送路に連通される。なお、多段給紙ユニット６は、用紙収容トレイ６１０Ａ〜６１０Ｃに収容した用紙を、それぞれ分離給送手段６１１Ａ〜６１１Ｃにより１枚ずつ分離して、用紙受口２７まで搬送する。
【００３０】
光走査ユニット２２の上下空間部に、プリンタ制御部２４、画像制御部２５、および電源ユニット２６が配置される。プリンタ制御部２４は、電子写真プロセスをコントロールするプロセスコントロールユニット（ＰＣＵ）基板、および装置外部からの画像データを受け入れるインターフェイス基板を収容する。画像制御部２５は、イメージコントロールユニット（ＩＣＵ）基板を備える。ＩＣＵ基板は、インターフェイス基板から受け入れられた画像データに対して所定の画像処理を施すとともに、画像処理が施された画像データを光走査ユニット２２に供給する。電源ユニット２６は、画像形成装置１の各部に電力を供給する。
【００３１】
シート後処理装置５は、中継搬送ユニット８を介してプリンタ２から送られた用紙に対して後処理を施す。後処理の例としては、ステープル処理、ソート処理が挙げられる。シート後処理装置５は、排出トレイ５１Ａ〜５１Ｃおよびゲート５２，５３を備える。ゲート５２，５３は、排出されるべき用紙を排出トレイ５１Ａ〜５１Ｃのいずれかに選択的に案内する。本実施形態では、排出トレイ５１Ａにコピーモード時の用紙が排出され、排出トレイ５１Ｂにプリントモード時の用紙が排出され、排出トレイ５１Ｃにファクシミリ印字モード時の用紙が排出される。
図３に示すように、スキャナ装置３は、原稿載置台３０、第１走査ユニット３１、第２走査ユニット３２、結像レンズ３３、光電変換素子（ＣＣＤ）３４、制御部３５０を備える。第１走査ユニット３１は、キャリッジ３２５、キセノンランプ３２９、スリット３２８、リフレクタ３２２、第１光学ミラー３２４Ａ、駆動回路基板３２３、および図示しない固定ビスを備える。キセノンランプ３２９は、原稿を照射するための光源部としての低発熱ランプである。スリット３２８は、原稿からの反射光を所定の範囲に限定して第１光学ミラー３２４Ａに導く。リフレクタ３２２は、キセノンランプ３２９からの光を原稿に向かって反射する。第１光学ミラー３２４Ａは、原稿からの反射光を第２走査ユニット３２に導く。駆動回路基板３２３は、制御部３５０と駆動回路基板３２３とを接続するケーブル３１８を差し込むための入力コネクタと、インバータ素子、昇圧トランス、およびキセノンランプ３２９へ高圧を供給する高圧ケーブルを接続する出力コネクタとを備える。固定ビス３３１は、駆動回路基板３２３をキャリッジ３２５に固定する。
【００３２】
第２走査ユニット３２は、第２光学ミラー３２４Ｂおよび第３光学ミラー３２４Ｃを備えており、第１走査ユニット３１からの光を光電変換素子３４に案内する。結像レンズ３３は、原稿からの反射光を光電変換素子３４に結像させる。
【００３３】
制御部３５０は、光電変換素子３４による読取データの処理部、駆動回路部に昇圧する前の低電圧を供給する電源基板部、走査ランプユニットの移動の制御を含む原稿読取装置の制御を行うための制御回路部等を備える。この制御部３５０は、スキャナ装置３の筐体３００の底部に設けた凹部３５１に配置される。
【００３４】
自動原稿搬送装置４は、原稿載置台３０を開放または閉塞する原稿カバーとして機能する。自動原稿搬送装置４は、原稿セットトレイ４０、原稿搬送手段４１、および原稿排出トレイ４２を備える。原稿セットトレイ４０には、画像情報を読み取るべき原稿が置かれる。原稿搬送手段４１は、原稿セットトレイ４０上に置かれた原稿を原稿載置台３０上に向かって搬送するとともに、画像情報が読み取られた原稿を原稿排出トレイ４２に排出する。
【００３５】
図１に示すように、中継搬送ユニット８は、用紙搬送経路８２、用紙搬送路８３、およびゲート８１を有する。用紙搬送経路８２は、プリンタ２から送られて来た用紙をシート後処理装置５へと搬送する。用紙搬送路８３は、用紙搬送経路８２から分岐した搬送路であり、中継搬送ユニット８に搬送された用紙をプリンタ２上面に位置する排紙部９に案内する。ゲート８１は、用紙をシート後処理装置５または排紙部９に選択的に案内する。
【００３６】
図４は、スキャナ装置３の主要部斜視図である。スキャナ装置３の各構成要素は、直方体形状の筐体３００の内部に収容される。筐体３００の長手方向の側壁の内側には、一対の第１ガイド部材３０１Ａ，３０１Ｂが形成され、それらの下方に第２ガイド部材３０２Ａ，３０２Ｂが形成される。第１ガイド部材３０１Ａ，３０１Ｂは第１走査ユニット３１を案内するガイドであり、第２ガイド部材３０２Ａ，３０２Ｂは第２走査ユニット３２を案内するガイドである。また、筐体３００の長手方向の側壁の内側に、固定プーリ３０６Ａ，３０６Ｂが回転自在に設けられる。さらに、固定プーリ３０６Ａ，３０６Ｂと同軸上に補助プーリ３１５Ａ，３１５Ｂが回転自在に設けられる。
【００３７】
筐体３００の長手方向の端部には、駆動軸３０５が設けられる。駆動軸３０５は、筐体３００の短手方向に沿うように配置され、筐体３００によって回転自在に保持される。駆動軸３０５の両端部近傍にはそれぞれワイヤ駆動プーリ３０７Ａ，３０７Ｂが取り付けられる。ワイヤ駆動プーリ３０７Ｂと駆動軸３０５の一端との間に、駆動伝達プーリ３０８が設けられる。
【００３８】
スキャナ装置３は、駆動源としてのステッピングモータ３０４を備える。ステッピングモータ３０４の出力軸には出力ギア３１０Ｂが設けられる。さらに、この出力ギア３１０Ｂに噛み合うように、ギアとプーリが一体成形されたギア・プーリ３１０Ａが設けられる。ギア・プーリ３１０Ａは、筐体３００の長手方向の一側壁の内側に回転自在に保持されており、タイミングベルト３１０Ｃを介して上述の駆動伝達プーリ３０８に接続される。
【００３９】
駆動軸３０５におけるワイヤ駆動プーリ３０７Ａ，３０７Ｂには、第１走査ユニット３１および第２走査ユニット３２に駆動力を伝えるワイヤ３１３Ａ，３１３Ｂが巻き付けられる。ワイヤ駆動プーリ３０７Ａに巻き付けられたワイヤ３１３Ａの一端は、第２走査ユニット３２に回転自在に設けられた２連プーリ３１４Ａの内側を介して、筐体３００の底面に形成された第１の固定部３１１Ａに接続される。第１の固定部３１１Ａでは、筐体３００の切り曲げ部にワイヤの端部に設けた固定金具がビスによって固定される。
【００４０】
これに対して、ワイヤ３１３Ａの他端は、固定プーリ３０６Ａ、２連プーリ３１４Ａの外側、補助プーリ３１５Ａを介して第２の固定部３１２Ａに接続される。第２の固定部３１２Ａでは、ワイヤ３１３Ａに対して張力を付与するためのバネ３１９Ａが筐体３００の折り曲げ部に係止されており、ワイヤ３１３Ａの端部に設けた固定金具がバネ３１９Ａに係止される。
【００４１】
同様に、ワイヤ３１３Ｂの一端は、２連プーリ３１４Ｂの内側を介して、筐体３００の底面に形成された第１の固定部３１１Ｂに接続され、ワイヤ３１３Ｂの他端は、固定プーリ３０６Ｂ、２連プーリ３１４Ｂの外側、補助プーリ３１５Ｂを介して第２の固定部３１２Ｂに接続される。なお、ワイヤ３１３Ａ，３１３Ｂにおける所定位置がワイヤ駆動プーリ３０７Ａ，３０７Ｂに固定ネジを介して固定されており、ワイヤ３１３Ａ，３１３Ｂがワイヤ駆動プーリ３０７Ａ，３０７Ｂに対して滑ることを防止している。
【００４２】
図５は、第１走査ユニット３１の平面図である。図５に示すように、第１走査ユニット３１は、ワイヤ固定手段３２０Ａおよびワイヤ固定手段３２０Ｂを備える。ワイヤ固定手段３２０Ａは、ワイヤ３１３Ａにおけるワイヤ駆動プーリ３０７Ａと２連プーリ３１４Ａの内側との間の所定の位置を挟持する。また、ワイヤ固定手段３２０Ｂは、ワイヤ３１３Ｂにおけるワイヤ駆動プーリ３０７Ｂと２連プーリ３１４Ｂの内側との間の所定の位置を挟持する。
【００４３】
第１走査ユニット３１は、キャリッジ３２５に開口３３７Ａ，３３７Ｂが設けられており、その開口３３７Ａ，３３７Ｂにより上方に露呈した所に、ワイヤ固定手段３２０Ａ，３２０Ｂを備える。ワイヤ固定手段３２０Ａは、図６に示すように、ワイヤ保持板３３０Ａ、ワイヤ固定板３３２Ａおよびワイヤ固定ビス３３３Ａを備える。ワイヤ保持板３３０Ａは、に固定ビスにより第１走査ユニット３１の底面側に固定される。ワイヤ保持板３３０Ａ上に位置するワイヤ３１３Ａは、ワイヤ保持板３３０Ａとワイヤ固定板３３２Ａで挟まれる。ワイヤ固定ビス３３３Ａを、ワイヤ固定板３３２Ａに設けた小孔を介して、ワイヤ保持板３３０Ａに設けたねじ穴にねじ込むことで、ワイヤ３１３Ａが第１走査ユニット３１に固定される。
【００４４】
第１走査ユニット３１は、図７に示すように、底部にスライダ３２７Ａ，３２７Ｂ，３２７Ｃを備えており、スライダ３２７Ａ，３２７Ｂ，３２７Ｃを介して第１ガイド部材３０１Ａ，３０１Ｂの上面に接する。同様に、第２走査ユニット３２は、図示しないスライダを介して第２ガイド部材３０２Ａ，３０２Ｂの上面に接する。
【００４５】
ステッピングモータ２０４が正転または逆転すると、第１走査ユニット３１および第２走査ユニット３２は、それぞれ第１のガイド部材３０１Ａ，３０１Ｂおよび第２のガイド部材３０２Ａ，３０２Ｂに案内されて往動方向または復動方向に移動する。この移動の際、第１走査ユニット３１の移動速度は、第２走査ユニット３２の移動速度の２倍となる。
【００４６】
図８は、画像形成装置１００は、ＣＰＵ１０を備える。ＣＰＵ１０は、ＲＯＭ１１Ａ、ＲＡＭ１１Ｂ、スキャナ装置３、自動原稿搬送装置４、シート後処理装置５、多段給紙ユニット６、中継搬送ユニット８、操作ユニット１２、電子写真プロセス部２０、定着装置２３、光走査ユニット２２、プリント制御部２４、画像制御部２５、および電源ユニット２６に接続される。ＲＯＭ１１Ａは、画像形成装置１の動作に必要なプログラムを格納する。ＲＡＭ１１Ｂは、一時的にデータが格納される揮発性メモリである。操作ユニット１２は、ユーザからの入力操作を受け付ける操作キーおよびユーザに対して情報を提示する液晶ディスプレイを備える。
【００４７】
図９は、画像制御部２５の構成を示す。画像制御部２５は、メイン画像処理ボート１９Ａおよびサブ画像処理ボード１９Ｂを備える。なお、本実施形態では、スキャナ装置３は、画像制御部２５と同一構成の画像制御部を内部に搭載している。
【００４８】
メイン画像処理ボート１９Ａは、多値画像処理部１３、メモリ１６Ａ、レーザコントローラ１７、およびプロセッサ１５を備える。スキャナ装置３から送られてきた原稿画像の電子データをもとに、画像の階調性を所望の状態で表現できるように、シェーディング補正、濃度補正、領域分離、フィルタ処理、ＭＴＦ補正、解像度変換、電子ズーム（変倍処理）、ガンマ補正などを多値の画像データに対して行なう。メモリ１６Ａは、画像処理が施された画像データあるいは処理の手順管理など各種制御情報を記憶する。レーザコントローラ１７は、画像処理が施された画像情報でもって画像を再現するために光走査ユニット２２側へとデータを転送制御する。プロセッサ１５は、画像制御部２５の各部を統括的に制御する。
【００４９】
サブ画像処理ボード１９Ｂは、メイン画像処理ボード１９Ａとコネクタ接続される。サブ画像処理ボード１９Ｂは、２値画像処理部１４、メモリ１６Ｂ、インタフェース部１８を備える。２値画像処理部１４は、メイン画像処理ボード１９Ａ上のプロセッサ１５からの信号に基づいて２値画像処理を実行する。メモリ１６Ｂは、画像処理の施された２値画像情報、および画像処理上での制御情報などを記憶管理する。インタフェース部１８は、メモリを制御するゲートアレイ、ハードディスクを制御するゲートアレイ、外部インターフェイスとしてのＳＣＳＩおよびＳＣＳＩを制御するゲートアレイを備える。
【００５０】
本発明の画像形成装置１は、上述の画像処理のうちシェーディング補正の手法に特徴を有する。ＣＣＤ３４は主走査方向に複数の素子を備えており、同じ光量の光が結像した場合でも主走査方向におけるＣＣＤ３４各画素からの出力レベルが異なる。このため、原稿の読み取り開始前に基準白板または白色原稿を読み取ることによってＣＣＤ３４の各画素の出力バラツキを検出し、読み取りレベルに所定の補正値を組み合わせることで各画素の出力レベルを補正する。
【００５１】
主走査方向におけるＣＣＤ３４の各画素の出力レべルの補正を行う際に、図１０に示すように第１光学ミラー３２４ＡにゴミＤが付着していると、ＣＣＤ３４の出力値が図１１に示すようになる。図１１において、横軸はＣＣＤ３４の主走査方向におけるゴミＤに対応する範囲を示しており、縦軸はＣＣＤ３４の出力レベルを示している。
【００５２】
図１１に示すように、第１光学ミラー３２４Ａに付着したゴミＤが原因で、ＣＣＤ３４の出力値に局部的な落ち込みが存在する。この場合、ゴミＤを考慮したシェーディング補正値が作成される。本実施形態では、図１２に示す演算式によってシェーディング補正値が作成される。ただし、本発明に適用されるシェーディング補正値の作成手法は、図１２に示す演算式に限定されるものではない。
【００５３】
図１３は、作成したシェーディング補正値を用いた場合に、ゴミＤが同じ位置に留まっているときの、ハーフトーン画像に係るＣＣＤ３４の出力値を示している。ハーフトーン画像を読取時にゴミＤが静止している場合には、図１３に示すようにＣＣＤ３４の出力値のばらつきが修正される。
【００５４】
一方、ゴミＤが主走査方向において移動した場合には、上述のシェーディング補正値を用いると、図１４に示すようにハーフトーン画像に係るＣＣＤ３４の出力値のばらつきはかえって大きくなる。この場合、主走査方向において元々ゴミが付着していた位置に対応する位置に副走査方向に沿った白いスジが発生し、移動後にゴミが付着した位置に対応する位置に副走査方向に沿った黒いスジが発生する。
【００５５】
そこで、本実施形態に係る画像形成装置１では、シェーディング補正値を設定するために、基準白板または白い原稿を読み取る場合において基準白板の画像情報に係る反射光の結像点がＣＣＤ３４からわずかにズレるようにしている。
【００５６】
図１５（Ａ）〜図１５（Ｃ）は、本実施形態に係る結像点変位手段の構成を示す。図１５（Ａ）はスキャナ装置３の平面図であり、図１５（Ｂ）はスキャナ装置３の側面図であり、図１５（Ｃ）はスキャナ装置３の正面図である。本実施形態における結像点変位手段は、ガラス部材３５Ａ，３５Ｂ、ガラス支持部材３６Ａ，３６Ｂ、ピニオンギア３７Ａ，３７Ｂ、およびモータ３８Ａ，３８Ｂを備える。
【００５７】
モータ３８Ａ，３８Ｂは、筐体３００の底部における結像レンズ３３およびＣＣＤ３４の近傍に配置される。モータ３８Ａの出力軸にはピニオンギア３７Ａが接続され、モータ３８Ｂの出力軸にはピニオンギア３７Ｂが接続される。ガラス支持部材３６Ａ，３６Ｂは、それぞれガラス部材３５Ａ，３５Ｂを保持する。また、ガラス支持部材３６Ａ，３６Ｂは、図示しない主走査方向に沿って延びる案内ガイドに当接するように配置される。さらに、ガラス支持部材３６Ａ，３７Ｂの底部にはそれぞれピニオンギア３７Ａ，３７Ｂと噛み合うラック部が形成される。ガラス部材３５Ａは、ガラス支持部材３６Ａ、ピニオンギア３７Ａ、モータ３８Ａ、図示しない案内ガイドによって、主走査方向（図１５（Ａ）における上下方向）において往復移動自在に配置される。同様に、ガラス部材３５Ｂは、ガラス支持部材３６Ｂ、ピニオンギア３７Ｂ、モータ３８Ｂ、図示しない案内ガイドによって、主走査方向おいて往復移動自在に配置される。図１５（Ａ）〜図１５（Ｃ）では、ガラス部材３５Ａ，３５Ｂが、基準白板からの反射光の光路から外れた状態を示しているが、上述の往復移動によりガラス部材３５Ａ，３５Ｂは、基準白板からの反射光の光路に、選択的に挿入される。
【００５８】
図１６（Ａ）〜図１６（Ｃ）は、光路上にガラス部材３５Ａ，ガラス部材３５Ｂが挿入された状態を示す。ガラス部材３５Ａ，ガラス部材３５Ｂが光路上に挿入されることにより、基準白板からの反射光がＣＣＤ３４に結像しなくなる。
【００５９】
ガラス部材３５Ａ，３５Ｂの配置位置の他の例を、図１７〜図１９を用いて説明する。図１７（Ａ）〜図１７（Ｃ）は、基準白板からの反射光の光路にガラス部材３５Ｂのみが挿入され、ガラス部材３５Ａが光路中から退避した状態を示す。図１８（Ａ）〜図１８（Ｃ）は、基準白板からの反射光の光路にガラス部材３５Ａのみが挿入され、ガラス部材３５Ｂが光路上から退避した状態を示す。図１９（Ａ）〜図１９（Ｃ）は、基準白板からの光路からガラス部材３５Ａ，３５Ｂが共に退避した状態を示す。
【００６０】
上述のように、ガラス部材３５Ａ，３５Ｂは、基準白板からの反射光の光路に選択的に挿入可能にされている。このため、シェーディング補正値に対する第１光学ミラー３２４Ａに付着したゴミＤの影響を軽減する必要がある場合には、ガラス部材３５Ａまたはガラス部材３５Ｂの少なくともいずれかが基準白板からの反射光の光路に挿入される。ここでは、ＣＰＵ３Ａが適宜モータ３８Ａ，３８Ｂを駆動するドライバを制御することにより、基準白板からの反射光の光路にガラス部材３５Ａ，３５Ｂが選択的に挿入される。
【００６１】
この結果、図２０に例示するように、ゴミＤが主走査方向に移動した場合においてゴミ移動前に設定したシェーディング補正値を用いたときでも、図１４に比較してＣＣＤ３４の出力値のばらつきが小さくなっており、ＣＣＤ３４の出力値のばらつきが、出力画像の質に悪影響を与えない程度に抑えられている。一方で、図２１にて例示するように、ゴミＤが移動しない場合でも、ＣＣＤ３４の出力値のばらつきが小さくなっており、ＣＣＤ３４の出力値のばらつきが、出力画像の質に悪影響を与えない程度に抑えられている。
【００６２】
このように、必要に応じて基準白板の反射光の像をボカスことによって、ゴミＤの移動の有無にかかわらずＣＣＤ３４の出力値が大きくばらつくことがないようなシェーディング補正値を作成することができる。
【００６３】
図２２（Ａ）〜図２２（Ｃ）は、第２の実施形態に係る結像点変位手段の構成を示す。第２の実施形態に係る結像点変位手段の基本的構成は、第１の実施形態に係る結像点変位手段と同様である。ただし、第２の実施形態に係る結像点変位手段は、ガラス部材３５Ｂが上下方向に往復移動する点で、主走査方向（水平方向）に移動する第１の実施形態に係る結像点変位手段と相違する。
【００６４】
図２２（Ａ）〜図２２（Ｃ）は、基準白板からの反射光の光路から、ガラス部材３５Ａ，３５Ｂが共に退避した状態を示す。上述の実施形態と同様に、ＣＰＵ３Ａが適宜モータ３８Ａ，３８Ｂを駆動するドライバを制御することにより、基準白板からの反射光の光路にガラス部材３５Ａ，３５Ｂが選択的に挿入される。
【００６５】
図２３（Ａ）〜図２３（Ｄ）は、第３の実施形態に係る結像点変位手段の構成を示す。第３の実施形態に係る結像点変位手段は、図２３（Ｄ）に示すように、モータ３８Ｃと、このモータ３８Ｃの出力軸に接続された半円形のガラス部材３５Ｃとを備える。これらのモータ３８Ｃおよびガラス部材３５Ｃは、筐体３００の底部における所定の位置に配置される。モータ３８Ｃの回転に伴ってガラス部材３５Ｃが１回転する際に、基準白板からの反射光の光路にガラス部材３５Ｃが挿入され、また、この光路からガラス部材３５Ｃが退避する。ここでは、ＣＰＵ３Ａが適宜モータ３８Ｃを駆動するドライバを制御することにより、基準白板からの反射光の光路にガラス部材３５Ｃが選択的に挿入される。
【００６６】
図２４（Ａ）〜図２４（Ｄ）は、モータ３８Ｃと、半円形のガラス部材３５Ｃとの他の配置手法を示す。図２３（Ａ）〜図２３（Ｄ）は、第２光学ミラー３２４Ｂおよび結像レンズ３３の間に半円形のガラス部材３５Ｃが挿入される構成であり、図２４（Ａ）〜図２４（Ｄ）は、結像レンズ３３およびＣＣＤ３４の間に半円形のガラス部材３５Ｃが挿入される構成である。
【００６７】
図２５（Ａ）〜図２５（Ｃ）は、第４の実施形態に係る結像点変位手段の構成を示す。本実施形態に係る結像点変位手段は、モータ３８Ｄと、このモータ３８Ｄの出力軸に接続されたギア３７Ｄと、ギア３７Ｄと噛み合うように配置されたギア３９を備える。ギア３９はズームレンズの筐体の外円に接続されており、このズームレンズの筐体の内部に結像レンズ３３が配置される。モータ３８Ｄが回転すると、その回転力がギア３７Ｄおよびギア３９を介してズームレンズの筐体に伝わり、ズームレンズの筐体が回転することによって結像レンズ３３が矢印Ｘ方向に移動する。ＣＰＵ３Ａが適宜モータ３８Ｄを駆動するドライバを制御することにより、結像レンズ３３の位置を所定の範囲で任意に変えることができる。ここでは、ズームレンズの機構を用いてレンズ３３を移動させているが、結像レンズ３３を移動させる機構としてラック＆ピニオン機構を用いても良い。
【００６８】
なお、上述の第１〜第４の実施形態において、ガラス部材３５Ａ〜３５Ｃを光路上に挿入したり、結像レンズ３３を変位させたりするのは、原則として、最初に基準白板を読み取ったときにＣＣＤ３４の出力値に局部的な落ち込みがみられる場合に行なうのが良い。
【００６９】
図２６は、結像点変位手段による第１の光学ミラー３２４Ａ，第２光学ミラー３２４Ｂ，第３光学ミラー３２４Ｃの入射光束径変化の例を示す。同図に示すように、ガラス部材３５Ａ〜３５Ｃを光路上に挿入したり、結像レンズ３３を変位させたりすることによって、第１の光学ミラー３２４Ａ，第２光学ミラー３２４Ｂ，第３光学ミラー３２４Ｃの入射光束径が大きくなっていることが分かる。このように、第１の光学ミラー３２４Ａ，第２光学ミラー３２４Ｂ，第３光学ミラー３２４Ｃの入射光束径が大きくなることにより、第１の光学ミラー３２４Ａ，第２光学ミラー３２４Ｂ，第３光学ミラー３２４ＣにゴミＤが付着した場合でも、その影響がシェーディング補正値に表れにくくなる。
【００７０】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００７１】
【図１】スキャナ装置が適用される画像形成装置の概略構成を示す図である。
【図２】電子写真プロセス部の構成を示す図である。
【図３】スキャナ装置の概略構成を示す図である。
【図４】スキャナ装置の内部の構成を示す図である。
【図５】第１走査ユニットの構成を示す図である。
【図６】第１走査ユニットのワイヤ固定箇所の構成を示す図である。
【図７】第１走査ユニットの底部の構成を示す図である。
【図８】画像形成装置およびスキャナ装置の構成を示すブロック図である。
【図９】画像制御部の構成を示す図である。
【図１０】第１反射ミラーにゴミが付着した状態を示す図である。
【図１１】主走査方向の各位置におけるＣＣＤの出力値を示す図である。
【図１２】シェーディング補正および出力値の平滑化のルールの例を示す図である。
【図１３】主走査方向の各位置におけるＣＣＤの出力値を示す図である。
【図１４】主走査方向の各位置におけるＣＣＤの出力値を示す図である。
【図１５】第１の実施形態に係る結像点変位手段の構成を示す図である。
【図１６】第１の実施形態に係る結像点変位手段の構成を示す図である。
【図１７】第１の実施形態に係る結像点変位手段の構成を示す図である。
【図１８】第１の実施形態に係る結像点変位手段の構成を示す図である。
【図１９】第１の実施形態に係る結像点変位手段の構成を示す図である。
【図２０】主走査方向の各位置におけるＣＣＤの出力値を示す図である。
【図２１】主走査方向の各位置におけるＣＣＤの出力値を示す図である。
【図２２】第２の実施形態に係る結像点変位手段の構成を示す図である。
【図２３】第３の実施形態に係る結像点変位手段の構成を示す図である。
【図２４】第３の実施形態に係る結像点変位手段の構成を示す図である。
【図２５】第４の実施形態に係る結像点変位手段の構成を示す図である。
【図２６】光学ミラーにおける入射光束径の変化状態を示す図である。
【符号の説明】
【００７２】
１−画像形成装置
３−スキャナ装置
２５−画像制御部
３４−ＣＣＤ
３２４Ａ−第１反射ミラー
【図１】
2006304111.tif 000003
【図２】
2006304111.tif 000004
【図３】
2006304111.tif 000005
【図４】
2006304111.tif 000006
【図５】
2006304111.tif 000007
【図６】
2006304111.tif 000008
【図７】
2006304111.tif 000009
【図８】
2006304111.tif 000010
【図９】
2006304111.tif 000011
【図１０】
2006304111.tif 000012
【図１１】
2006304111.tif 000013
【図１２】
2006304111.tif 000014
【図１３】
2006304111.tif 000015
【図１４】
2006304111.tif 000016
【図１５】
2006304111.tif 000017
【図１６】
2006304111.tif 000018
【図１７】
2006304111.tif 000019
【図１８】
2006304111.tif 000020
【図１９】
2006304111.tif 000021
【図２０】
2006304111.tif 000022
【図２１】
2006304111.tif 000023
【図２２】
2006304111.tif 000024
【図２３】
2006304111.tif 000025
【図２４】
2006304111.tif 000026
【図２５】
2006304111.tif 000027
【図２６】
2006304111.tif 000028